(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面に取り付けられる棚であって、壁面１０２に固定される２つ以上のブラケット１０４、１０６と、ブラケットに着脱可能に取り付けられる棚板１０８とを有し、ブラケットには、壁から離れる方向である手前側に向かって上方に傾斜するレール溝１２６が設けられていて、棚板には、ブラケットのレール溝に挿入する脚部１５１が設けられていて、脚部は、棚板に対してレール溝の傾斜角と同じ角度に傾斜していて、棚板を左右反転させてレール溝に挿入可能であることを特徴とする。【選択図】図１
2018143697.tif 000002
【特許請求の範囲】
【請求項１】
壁面に取り付けられる棚であって、
壁面に固定される２つ以上のブラケットと、
前記ブラケットに着脱可能に取り付けられる棚板とを有し、
前記ブラケットには、壁から離れる方向である手前側に向かって上方に傾斜するレール溝が設けられていて、
前記棚板には、前記ブラケットの前記レール溝に挿入する脚部が設けられていて、
前記脚部は、前記棚板に対して前記レール溝の傾斜角と同じ角度に傾斜していて、該棚板を左右反転させて前記レール溝に挿入可能であることを特徴とする棚。
【請求項２】
前記ブラケットは、１つのブラケットに２つ以上のレール溝が平行に設けられていることを特徴とする請求項１に記載の棚。
【請求項３】
前記棚板の壁側かつ脚部側に、保持部材が設けられていることを特徴とする請求項１または２に記載の棚。
【請求項４】
前記保持部材は、前記脚部に掛け渡されたパイプであることを特徴とする請求項３に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、壁面に固定される２つ以上のブラケットと、ブラケットに着脱可能に取り付けられる棚板とを有し、ブラケットには、壁から離れる方向である手前側に向かって上方に傾斜するレール溝が設けられていて、棚板には、ブラケットのレール溝に挿入する脚部が設けられていて、脚部は、棚板に対してレール溝の傾斜角と同じ角度に傾斜していて、棚板を左右反転させてレール溝に挿入可能であることを特徴とする。
【０００８】
上記構成によれば、壁面に固定されたブラケットは、壁面に対して所定の傾斜角で傾斜したレール溝を有している。一方、棚板は、棚板に対して傾斜した脚部を有し、脚部をブラケットのレール溝に挿入することで、ブラケットに着脱可能に取り付けられる。ここで、脚部の傾斜角は、レール溝の傾斜角と同じ角度としている。このため、脚部が棚板に対して壁側に向かって下方に傾斜している状態で、脚部をレール溝に挿入すると、脚部の傾斜角とレール溝の傾斜角とが相殺され、棚板は、ブラケットに水平に支持可能となる。そして棚板を左右反転して脚部をレール溝に挿入すると、棚板は、脚部の傾斜角とレール溝の傾斜角とを合わせた角度で、壁面に対して傾斜した状態でブラケットに支持可能となる。したがって、棚板を左右反転して取り付けるだけで、壁面に対する棚板の角度を容易に切り替えられることができ、利便性を向上できる。また、機械的な角度調整機構がないため、簡潔な外観で高い美観を備えることができる。
【０００９】
上記のブラケットは、１つのブラケットに２つ以上のレール溝が平行に設けられているとよい。これにより、ブラケットに平行に設けられた２つ以上のレール溝は、それぞれ壁面からの距離が異なる。このため、棚板は、脚部を挿入するレール溝を異ならせるだけで、壁面からの距離を容易に調整でき、利便性が向上する。
【００１０】
上記の棚板の壁側かつ脚部側に、保持部材が設けられているとよい。これにより、棚板の脚部側となる裏面を壁面に対向させ、表面を手前側にして、さらに壁側に設けられている保持部材が下側に位置するように、棚板をブラケットに取り付けた場合、棚は、保持部材を用いて各種物品の底を受けることができ、各種物品を収納あるいは陳列できる。
【００１１】
上記の保持部材は、脚部に掛け渡されたパイプであるとよい。これにより、棚板をブラケットに水平に支持した状態で、パイプは、棚板の脚部側となる裏面側に位置し、２つ以上のブラケットの脚部間に掛け渡されている。このため、棚では、パイプにフック等をかけて各種物品を吊り下げることができ、利便性を高めることができる。
【発明の効果】
【００１２】
本発明によれば、壁面に対する棚板の角度を容易に切り替えることができ、利便性を向上できると共に、簡潔な外観で美観を向上させた棚を提供することができる。
【図面の簡単な説明】
【００１３】
【図１】本発明の第１実施形態における棚を示す図である。
【図２】図１のブラケットを拡大して示す図である。
【図３】図２のブラケットが取り付けられる壁固定部材を拡大して示す図である。
【図４】図１のサイドキャップを拡大して示す図である。
【図５】図１の棚が組み立てられる様子を示す図である。
【図６】図１の棚とは棚板の組み立て方を変えたスタイルの棚を示す図である。
【図７】図６の棚が組み立てられる様子を示す図である。
【図８】本発明の第２実施形態における棚を示す図である。
【図９】図８のブラケットを拡大して示す図である。
【図１０】図８のサイドキャップを拡大して示す図である。
【図１１】図８の棚を組み立てた様子を示す図である。
【図１２】図８の棚とは棚板の組み立て方を変えたスタイルの棚を示す図である。
【図１３】図１２の棚を組み立てた様子を示す図である。
【発明を実施するための形態】
【００１４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１５】
（第１実施形態）
図１は、本発明の第１実施形態における棚１００を示す図である。棚１００は、例えば浴室の壁面１０２などに取付けられ、各種物品を収納あるいは陳列するために用いられる。棚１００は、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００１６】
また棚１００が取付けられる壁面１０２には、ブラケット１０４、１０６を取付け可能な壁固定部材１１０が固定されている。ブラケット１０４、１０６は、壁固定部材１１０を介して壁面１０２に取り付けられる。なおブラケット１０４、１０６は、左右対称の構造を有していて機能等が同様であるので、以下ではブラケット１０６の説明を適宜省略する。
【００１７】
棚板１０８は、図示のように、その側端１１２、１１４に沿って左右一対の２つのサイドキャップ１１６、１１８が取付けられている。また棚板１０８の上面１２０のうち、壁面１０２から離れる方向である手前側には、側端１１２、１１４同士をつなぐ縁部１２２が形成されている。縁部１２２は、棚板１０８の上面１２０から上方に突出していて、棚板１０８に収納あるいは陳列された各種物品が手前側から転落することを防止する。さらに棚板１０８には、サイドキャップ１１６、１１８を介してパイプ１２４が取付けられている。パイプ１２４は、各種物品の保持部材であり、例えばフック等をかけて各種物品を吊り下げて保持できる。
【００１８】
図２は、図１のブラケット１０４を拡大して示す図である。ブラケット１０４には、図２（ａ）に示すように、１つのレール溝１２６が設けられている。ブラケット１０４は、側壁１２８から立設したリブ１３０、１３２、１３４を有する。リブ１３０、１３２は、いずれも手前側に向かって上方に傾斜している。リブ１３４は、上下方向に延びていて、リブ１３０、１３２をつないでいる。レール溝１２６は、これら側壁１２８、リブ１３０、１３２、１３４で区画されることで、手前側に向かって上方に傾斜角θａ（図５（ａ）参照）で傾斜し、さらに上方が開放された形状となっている。
【００１９】
リブ１３４は、図２（ｂ）に示すように、壁固定部材１１０に取付けられる取付面１３６を形成している。取付面１３６には、下方が開放された切欠部１３８が形成されている。切欠部１３８は、壁固定部材１１０の溝部１４０（図３（ｂ）参照）に挿入可能である。
【００２０】
図３は、図２のブラケット１０４が取り付けられる壁固定部材１１０を拡大して示す図である。壁固定部材１１０は、図３（ａ）に示すように、壁面１０２に接する土台部１４２と、土台部１４２の手前側に配置された固定部１４４と、土台部１４２と固定部１４４との間に形成された溝部１４０とを有する。
【００２１】
固定部１４４は、その内部に穴１４６、１４８が設けられている。壁固定部材１１０は、不図示のネジなどを穴１４６、１４８に挿通して壁面１０２に固定される。また固定部１４４には、図３（ａ）に示すキャップ１５０が手前側から被せられることで、その内部が視認されず、美観が損なわれない。
【００２２】
図３（ｂ）に示す壁固定部材１１０の溝部１４０は、テーパー状となっている。溝部１４０にブラケット１０４の切欠部１３８を上方から下方にスライドして係合させることにより、がたつきを防止できる。このようにして、ブラケット１０４は、壁固定部材１１０を介して壁面１０２に安定して固定される。
【００２３】
図４は、図１のサイドキャップ１１６を拡大して示す図である。なお以下では、反対側のサイドキャップ１１８については説明を適宜省略するが、サイドキャップ１１６と左右対称の構造を有していて機能等も同様である。
【００２４】
サイドキャップ１１６には、図４（ａ）に示すように脚部１５１が設けられている。脚部１５１は、棚板１０８に対して傾斜角θａ、すなわちブラケット１０４のレール溝１２６の傾斜角θａと同じ角度で下方に傾斜している（図５（ａ）参照）。脚部１５１は、互いに平行に延びる傾斜部１５４、１５６と、傾斜部１５４、１５６同士を連結する連結部１６０を有し、図４（ｂ）に示すように、枠体を形成している。また傾斜部１５４には、パイプ１２４を保持する丸穴の保持部１５８が設けられている。
【００２５】
図５は、図１の棚１００が組み立てられる様子を示す図である。まず、図５（ａ）に示すように、棚板１０８に対して傾斜角θａで下方に傾斜した脚部１５１を、ブラケット１０４のレール溝１２６に対して位置合わせする。
【００２６】
つぎに、図５（ｂ）に示すように、脚部１５１をブラケット１０４のレール溝１２６に挿入する。このとき、脚部１５１は、連結部１６０がリブ１３４に突き当たるまで挿入されていて、さらに傾斜部１５４、１５６がリブ１３０、１３２にそれぞれ当接している。このようにして、サイドキャップ１１６に設けられた脚部１５１は、ブラケット１０４のレール溝１２６に挿入され、ブラケット１０４に安定して取り付けられる。
【００２７】
ここで図５（ａ）に示すように、ブラケット１０４のレール溝１２６が傾斜角θａで上方に傾斜し、脚部１５１がレール溝１２６と同じ傾斜角θａで下方に傾斜している。したがって、棚１００では、脚部１５１をレール溝１２６に挿入すると、図５（ｂ）に示すように脚部１５１の傾斜角θａとレール溝１２６の傾斜角θａとが相殺され、棚板１０８がブラケット１０４に水平に支持可能となる。このため、棚１００では、棚板１０８に各種物品を安定して収納あるいは陳列できる（以下、フラットスタイルと称する）。
【００２８】
またパイプ１２４は、サイドキャップ１１６の脚部１５１に掛け渡され、図示のように、棚板１０８の壁側かつ脚部１５１側に設けられる。このため、棚１００では、棚板１０８を水平に支持した状態でパイプ１２４が棚板１０８の下側に配置されるので、パイプ１２４にフック等をかけて、各種物品を吊り下げることができ、利便性を高めることができる。
【００２９】
図６は、図１の棚１００とは棚板１０８の組み立て方を変えたスタイルの棚１００Ａを示す図である。棚１００Ａでは、図６（ａ）に示すように、棚板１０８を左右反転させた状態でブラケット１０４、１０６に取り付けている。棚１００Ａでは、図６（ｂ）に示すように、棚板１０８に設けられたサイドキャップ１１６の脚部１５１がブラケット１０６に挿入され、サイドキャップ１１８の脚部１５１がブラケット１０４に挿入されている。
【００３０】
また棚１００Ａでは、図６（ｂ）に示すように、棚板１０８の下面１６２を壁側にしてさらにパイプ１２４が下側に位置するように棚板１０８を取り付けている。棚１００Ａは、この状態でパイプ１２４を用いて各種物品を収納し、パイプ１２４が棚板１０８の下面１６２から離間しているため水切りを行うことができる（以下、水切りスタイルと称する）。
【００３１】
図７は、図６の棚１００Ａが組み立てられる様子を示す図である。図５ではサイドキャップ１１６が図示されていたところ、図７では反対側のサイドキャップ１１８が図示されている。棚１００Ａを組み立てる場合、まず、図７（ａ）に示すように脚部１５１を、ブラケット１０４のレール溝１２６に対して位置合わせする。
【００３２】
つぎに、図７（ｂ）に示すように、脚部１５１をブラケット１０４のレール溝１２６に挿入する。このとき、脚部１５１は、連結部１６０の先端部１６４がリブ１３４に突き当たるまで挿入されていて、さらに傾斜部１５４、１５６がリブ１３０、１３２にそれぞれ当接している。このようにして、サイドキャップ１１８に設けられた脚部１５１は、ブラケット１０４のレール溝１２６に挿入され、ブラケット１０４に安定して取り付けられる。
【００３３】
ここで図７（ａ）に示すように、ブラケット１０４のレール溝１２６が傾斜角θａで上方に傾斜し、脚部１５１がレール溝１２６と同じ傾斜角θａで傾斜している。したがって、棚１００Ａでは、脚部１５１をレール溝１２６に挿入すると、図７（ｂ）に示すように棚板１０８は、脚部１５１の傾斜角θａとレール溝１２６の傾斜角θａとを合わせた角度で、壁面１０２に対して傾斜した状態でブラケット１０４に支持可能となる。
【００３４】
したがって、第１実施形態によれば、棚板１０８を左右反転して取り付けるだけで、壁面１０２に対する棚板１０８の角度を容易に切り替えられることができ、利便性を向上できる。例えば、図５に示すようにブラケット１０４のレール溝１２６にサイドキャップ１１６の脚部１５１を挿入すると、フラットスタイルの棚１００を得ることができる。また、図７に示すようにレール溝１２６にサイドキャップ１１８の脚部１５１を挿入すると、水切りスタイルの棚１００Ａを得ることができる。さらに、機械的な角度調整機構がないため、簡潔な外観で高い美観を備えた棚１００、１００Ａを得ることができる。
【００３５】
（第２実施形態）
図８は、本発明の第２実施形態における棚２００を示す図である。棚２００は、例えば浴室の壁面２０２（図１１参照）などに取付けられ、各種物品を収納あるいは陳列するために用いられる。棚２００は、左右一対の２つのブラケット２０４、２０６と、ブラケット２０４、２０６に着脱可能に取り付けられる棚板１０８とを有する。
【００３６】
ブラケット２０４、２０６は、壁固定部材１１０（図１１参照）を介して壁面２０２に取り付けられる。なおブラケット２０４、２０６は、左右対称の構造を有していて機能等が同様であるので、以下ではブラケット２０６の説明を適宜省略する。
【００３７】
棚板１０８には、図示のように、その側端１１２、１１４に沿って左右一対の２つのサイドキャップ２０８、２１０が取付けられている。また棚板１０８には、サイドキャップ２０８、２１０を介して各種物品の保持部材であるパイプ１２４が取付けられている。
【００３８】
図９は、図８のブラケット２０４を拡大して示す図である。ブラケット２０４には、図９（ａ）に示すように、２つのレール溝２１２、２１４が平行に設けられている。レール溝２１２、２１４は、壁から離れる方向である手前側に向かって上方に傾斜していて、さらに上方が開放された形状となっている。ブラケット２０４では、レール溝２１２、２１４の傾斜角は、ブラケット２０４の手前側の面を形成するリブ２１６の傾斜角θｂと同じ角度となっている。
【００３９】
レール溝２１２、２１４は、図９（ｂ）に示すように、ブラケット２０４の上面を形成するリブ２１８に設けられている。レール溝２１２は、互いに平行で傾斜した側壁２２０、２２２と、側壁２２０、２２２同士をつなぐ底壁２２４とで区画されている。レール溝２１４は、レール溝２１２の手前側に位置していて、リブ２１６の一部と、リブ２１６に平行で傾斜した側壁２２６と、リブ２１６と側壁２２６とをつなぐ底壁２２８とで区画されている。
【００４０】
リブ２１６は、ブラケット２０４の下面を形成するリブ２３０を斜めにつないでいる。ブラケット２０４の壁側に形成されたリブ２３２は、上下方向に延びていて、リブ２１８とリブ２３０とをつないでいる。
【００４１】
リブ２３２は、図９（ｃ）に示すように、壁固定部材１１０に取付けられる取付面２３４を形成している。取付面２３４には、下方が開放された切欠部２３６が形成されている。切欠部２３６は、壁固定部材１１０の溝部１４０（図３（ｂ）参照）に挿入可能である。溝部１４０にブラケット２０４の切欠部２３６を上方から下方にスライドして係合させることにより、がたつきを防止できる。このようにして、ブラケット２０４は、壁固定部材１１０を介して壁面２０２に安定して固定される。
【００４２】
図１０は、図８のサイドキャップ２０８を拡大して示す図である。なお以下では、サイドキャップ２１０については説明を適宜省略するが、サイドキャップ２０８と左右対称の構造を有していて機能等も同様である。
【００４３】
サイドキャップ２０８には、図１０（ａ）に示すように脚部２４０が設けられている。脚部２４０は、レール溝２１２、２１４に挿入される部位であり、傾斜角θｂで下方に傾斜している。この傾斜角θｂは、ブラケット２０４の２つのレール溝２１２、２１４の傾斜角θｂと同じである。また脚部２４０は、互いに平行で傾斜した傾斜面２４２、２４４と、傾斜面２４２、２４４同士をつなぐ底面２４６とを有する。
【００４４】
さらにサイドキャップ２０８には、図１０（ｂ）に示すように、パイプ１２４を保持する保持部２４８が形成されたリブ２５０が設けられている。なおリブ２５０は、図１２（ａ）に示すように、壁側から見て脚部２４０の位置と重なっていない。すなわちサイドキャップ２０８のうち、レール溝２１２、２１４に挿入される部位は、脚部２４０のみである。
【００４５】
図１１は、図８の棚２００を組み立てた様子を示す図である。図１１（ａ）は、ブラケット２０４のレール溝２１２、２１４のうち、壁面２０２との距離が小さい位置にあるレール溝２１２に、サイドキャップ２０８に設けられた脚部２４０を挿入した状態を示している。
【００４６】
脚部２４０は、図１１（ａ）に示すように、その底面２４６がレール溝２１２の底壁２２４に突き当てられていて、さらに傾斜面２４２、２４４がレール溝２１２の側壁２２０、２２２にそれぞれ当接している。このようにして、脚部２４０は、ブラケット２０４のレール溝２１２に挿入され、ブラケット２０４に安定して取り付けられる。
【００４７】
図１１（ｂ）は、ブラケット２０４のレール溝２１２、２１４のうち、壁面２０２との距離が大きい位置にあるレール溝２１４に、脚部２４０を挿入した状態を示している。
【００４８】
脚部２４０は、図１１（ｂ）に示すように、その底面２４６がレール溝２１４の底壁２２８に突き当てられていて、傾斜面２４２がレール溝２１４の側壁となるリブ２１６の一部に当接し、さらにレール溝２１４の側壁２２６に当接している。このようにして、脚部２４０は、ブラケット２０４のレール溝２１４に挿入され、ブラケット２０４に安定して取り付けられる。
【００４９】
ここで図１１（ａ）に示すように、ブラケット２０４のレール溝２１２、２１４が傾斜角θｂで上方に傾斜し、脚部２４０がレール溝２１２、２１４と同じ傾斜角θｂで下方に傾斜している。したがって、棚２００では、脚部２４０をレール溝２１２、２１４に挿入すると、図１１（ａ）、図１１（ｂ）にそれぞれ示すように、脚部２４０の傾斜角θｂとレール溝２１２、２１４の傾斜角θｂとが相殺される。このため、棚２００は、棚板１０８がブラケット２０４に水平に支持されたフラットスタイルとなり、棚板１０８に各種物品を安定して収納あるいは陳列できる。
【００５０】
またブラケット２０４に設けられたレール溝２１２、２１４は、それぞれ壁面２０２からの距離が異なる。このため、棚２００では、脚部２４０をレール溝２１２に挿入することで（図１１（ａ）参照）、棚板１０８と壁面２０２との距離を小さくできる。また棚板２００では、脚部２４０をレール溝２１４に挿入することで（図１１（ｂ）参照）、棚板１０８と壁面２０２との距離を大きくできる。したがって、棚２００では、脚部２４０を挿入するレール溝２１２、２１４を異ならせるだけで、棚板１０８と壁面２０２からの距離を容易に調整でき、利便性が向上する。
【００５１】
またパイプ１２４は、サイドキャップ２０８に掛け渡され、図示のように、棚板１０８の壁側かつ脚部２４０側に設けられる。このため、棚２００では、棚板１０８を水平に支持した状態でパイプ１２４が棚板１０８の下側に配置されるので、パイプ１２４にフック等をかけて、各種物品を吊り下げることができ、利便性を高めることができる。
【００５２】
図１２は、図８の棚２００とは棚板１０８の組み立て方を変えたスタイルの棚２００Ａを示す図である。棚２００Ａでは、図１２（ａ）に示すように、棚板１０８を左右反転させて、棚板１０８の下面１６２を壁側にしてさらにパイプ１２４が下側に位置するようにしている。
【００５３】
さらに棚２００Ａでは、図１２（ｂ）に示すように、棚板１０８に設けられたサイドキャップ２０８の脚部２４０がブラケット２０６に取り付けられ、サイドキャップ２１０の脚部２４０がブラケット２０４に取り付けられている。このようにして、棚２００Ａは、水切りスタイルとなっている。棚２００Ａでは、この状態でパイプ１２４を用いて各種物品を収納し、パイプ１２４が棚板１０８の下面１６２から離間しているため水切りを行うことができる。
【００５４】
図１３は、図１２の棚２００Ａを組み立てた様子を示す図である。図１１ではサイドキャップ２０８が図示されていたところ、図１３では反対側のサイドキャップ２１０が図示されている。
【００５５】
図１３（ａ）は、ブラケット２０４のレール溝２１２、２１４のうち、壁面２０２との距離が大きい位置にあるレール溝２１４に、脚部２４０を挿入した状態を示している。棚２００Ａは、この状態で棚板１０８と壁面２０２との距離が大きくなる。このため、図１３（ａ）に示す棚２００Ａでは、幅の大きな各種物品２５２の底２５４をパイプ１２４で受けることができる。各種物品２５２を収納するだけでなく、水切りを行うことができる。
【００５６】
図１３（ｂ）は、ブラケット２０４のレール溝２１２、２１４のうち、壁面２０２との距離が小さい位置にあるレール溝２１２に、脚部２４０を挿入した状態を示している。棚２００Ａは、この状態で棚板１０８と壁面２０２との距離が小さくなる。このため、図１３（ｂ）に示す棚２００Ａでは、幅の小さな各種物品２５６の底２５８をパイプ１２４で受けることができる。各種物品２５６を収納するだけでなく、水切りを行うことができる。
【００５７】
ここで図１３（ａ）に示すように、ブラケット２０４のレール溝２１２、２１４が傾斜角θｂで上方に傾斜し、脚部２４０がレール溝２１２、２１４と同じ傾斜角θｂで傾斜している。したがって、棚２００Ａでは、脚部２４０をレール溝２１２、２１４に挿入すると、図１３（ａ）に示すように棚板１０８は、脚部２４０の傾斜角θｂとレール溝２１２、２１４の傾斜角θｂとを合わせた角度で、壁面２０２に対して傾斜した状態でブラケット２０４に支持可能となる。
【００５８】
したがって、第２実施形態によれば、棚板１０８を左右反転して取り付けるだけで、壁面２０２に対する棚板の角度を容易に切り替えることができ、フラットスタイルの棚２００や水切りスタイルの棚２００Ａを得ることができる。また、棚２００、２００Ａでは、脚部２４０を挿入するレール溝２１２、２１４を異ならせるだけで、棚板１０８と壁面２０２との距離を容易に調整でき、利便性を向上できる。さらに、機械的な角度調整機構がないため、簡潔な外観で高い美観を備えた棚２００、２００Ａを得ることができる。
【００５９】
上記第２実施形態では、ブラケット２０４に２つのレール溝２１２、２１４を設けるようにしたが、これに限られず、レール溝を３つ以上設けて、壁面２０２と棚板１０８と距離をさらに細かく調整できるようにしてもよい。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、壁面に取り付けられる棚に利用することができる。
【符号の説明】
【００６２】
１００、１００Ａ、２００、２００Ａ…棚、１０２、２０２…壁面、１０４、１０６、２０４、２０６…ブラケット、１０８…棚板、１１０…壁固定部材、１１２、１１４…棚板の側端、１１６、１１８、２０８、２１０…サイドキャップ、１２０…棚板の上面、１２２…棚板の縁部、１２４…パイプ、１２６、２１２、２１４…レール溝、１２８…ブラケットの側壁、１３０、１３２、１３４、２１６、２１８、２３０、２３２…ブラケットのリブ、１３６、２３４…取付面、１３８、２３６…切欠部、１４０…溝部、１４２…土台部、１４４…固定部、１４６、１４８…穴、１５０…キャップ、１５１、２４０…脚部、１５２、１５４…傾斜部、１５８、２４８…保持部、１６０…連結部、１６２…棚板の下面、１６４…連結部の先端部、２２０、２２２、２２６…レール溝の側壁、２２４、２２８…レール溝の底壁、２４２、２４４…傾斜面、２４６…底面、２５０…脚部のリブ、２５２、２５６…各種物品、２５４、２５８…各種物品の底
【図１】
2018143697.tif 000003
【図２】
2018143697.tif 000004
【図３】
2018143697.tif 000005
【図４】
2018143697.tif 000006
【図５】
2018143697.tif 000007
【図６】
2018143697.tif 000008
【図７】
2018143697.tif 000009
【図８】
2018143697.tif 000010
【図９】
2018143697.tif 000011
【図１０】
2018143697.tif 000012
【図１１】
2018143697.tif 000013
【図１２】
2018143697.tif 000014
【図１３】
2018143697.tif 000015